(57)【特許請求の範囲】
【請求項１】
筒状に形成され、内外を連通する開口部（１０、１１）を備えるスリーブ（４）と、
前記スリーブ（４）内において軸方向へ摺動自在に支持され、前記開口部（１０、１１）の開度を可変可能なスプール（５）と、
前記スリーブ（４）の外周側に前記開口部（１０、１１）を覆って巻き付けられ、前記開口部（１０、１１）を通過する流体を濾過する筒状の濾過フィルタ（２０）と、
を具備するバルブ装置であって、
前記濾過フィルタ（２０）は、一枚の帯状材で構成され、周方向の両端部が重ねられて筒状に形成されるもので、周方向の一方の端部に周方向の他方の端部の内周側に位置する内重ね部（２０ａ）、周方向の他方の端部に前記内重ね部（２０ａ）の外周側に位置する外重ね部（２０ｂ）を有しており、
前記内重ね部（２０ａ）には、内周側に突出し、前記スリーブ（４）の前記開口部（１０、１１）に嵌め込まれる位置決め部（２２、２５、２６）が折曲形成されていることを特徴とするバルブ装置。
【請求項２】
請求項１に記載のバルブ装置において、
前記位置決め部（２２）は、前記濾過フィルタの一端部に一体形成され、前記開口部（１０、１１）に嵌め込まれる円筒部（２２ａ）を有していることを特徴とするバルブ装置。
【請求項３】
請求項１に記載のバルブ装置において、
前記位置決め部（２５）は、前記濾過フィルタの一端部に一体形成され、前記開口部（１０、１１）に嵌め込まれる多角形部（２５ａ）を有していることを特徴とするバルブ装置。
【請求項４】
請求項１に記載のバルブ装置において、
前記位置決め部（２６）は、前記濾過フィルタの一端部に一体形成され、前記スリーブ（４）の前記開口部（１０、１１）の内径より大なる外径を有するＣ字状円筒部（２６ａ）を備えており、このＣ字状円筒部（２６ａ）が縮径されて前記開口部（１０、１１）に嵌め込まれていることを特徴とするバルブ装置。
【請求項５】
請求項１〜請求項４のいずれか１つに記載のバルブ装置において、
前記濾過フィルタ（２０）は、前記内重ね部（２０ａ）と前記外重ね部（２０ｂ）とが溶接にて接合されていることを特徴とするバルブ装置。
【請求項６】
請求項１〜請求項５のいずれか１つに記載のバルブ装置において、
前記スリーブ（４）は、クリアランスシールを介してバルブボディ（６）に取り付けられることを特徴とするバルブ装置。
【請求項７】
請求項１〜請求項６のいずれか１つに記載のバルブ装置において、
このバルブ装置は、自動変速装置に用いられる油圧制御弁（１）であることを特徴とするバルブ装置。
【発明の詳細な説明】
【技術分野】
【０００１】
本発明は、流体が流れる流路の開閉、流体の流れ方向の変更、流体の流量調整、あるいは流体の圧力調整を行うバルブ装置、とりわけ、流体に含まれる異物を除去するフィルタを備えたバルブ装置に関する。
【背景技術】
【０００２】
(従来の技術）
主として自動車に搭載され、各種システムの作動源となる流体（例えばオイル）の流路開閉や流れ方向の変更、流量調整、圧力調整を行う手段としては、スプール弁式のバルブ装置がよく知られている。
その代表例が、スプール弁と電磁アクチュエータとを一体化した電磁油圧制御弁であって、この電磁油圧制御弁は、例えば自動変速機の摩擦係合装置（クラッチ手段、ブレーキ手段等）に作動油圧を供給する油圧制御装置の圧力制御室の供給油圧をコントロールするためのパイロットバルブとして有用されている。
【０００３】
ここで、スプール弁の入力ポートに導かれるオイルは、オイルポンプに吸い込まれる以前においてオイルストレーナに設けられたオイルフィルタで濾過されており、濾過後のクリーンなオイルが入力ポートに導かれる。
一方、油圧制御装置の圧力制御室からスプール弁の出力ポートに戻されるオイルも、もともとはスプール弁を通過したクリーンなオイルである。
【０００４】
しかし、オイルポンプから入力ポートに至るオイル経路には、製造時の切削粉、バリ、摩耗粉、あるいは分解・メンテナンス時に侵入した砂や塵など、予期せぬ異物が混入する可能性がある。
同様に、出力ポートと油圧制御装置の圧力制御室を連通するオイル経路にも、予期せぬ異物が混入する可能性がある。
このような予期せぬ異物がスプール弁に侵入することで、パイロットバルブが万が一にも作動不良を起こすと、システムとして重大な欠陥を負い、安全運転が阻害される可能性がある。
【０００５】
かかる不具合に対処すべく、パイロットバルブとオイルポンプおよび油圧制御装置との間にそれぞれフィルタを設置する対策は、各オイル経路のレイアウトが複雑である上、設置スペースの確保も大変であるため、フィルタの設置位置が制限されやすく、フィルタの設置が困難になる事態を招く危惧さえもある。
【０００６】
そこで、バルブ自体にフィルタ機能を付与し、異物によるバルブの作動不良を回避する技術として、スプール弁のスリーブに、入力ポートや出力ポート（この入力ポートや出力ポートは、スリーブの内外を連通する開口部の一例）を覆うように、濾過フィルタを装着し、スプール弁内に異物が侵入しないようにした解決策が提案されている（例えば、特許文献１、２参照）。
具体的には、スリーブに形成した環状溝に、帯状材からなる濾過フィルタを巻付けるように装着し、この濾過フィルタを通過し異物が除去されたオイルを、環状溝に開口している入力ポートおよび出力ポートに導入する構成である。
【０００７】
（従来技術の問題点）
かくして巻付けるように装着した濾過フィルタは、全体として筒状をなし、スプール弁のスリーブに対し周方向に回動しやすく、濾過面とポートとの最適対向位置がずれるため、この回動を阻止すべく、濾過フィルタおよびスリーブには回り止め用の凹凸嵌合部を形成しなければならない。つまり、濾過フィルタ側には幅方向に突出する凸部を設けると共に、スリーブ側には環状溝を形成しているランド部分に軸方向にへこむ凹部を設け、両者を凹凸嵌合させることにより、濾過フィルタの回動を阻止するわけであるが、かかる構造を採用した場合、実用面で次のごとき問題点がある。
・  濾過フィルタは基材として帯状材を用いているが、凸部を設けるためにその分だけ幅広の帯状材を必要とし、原材料のコスト高を招く。
・  スリーブはランド部分や環状溝が丸削りであるため簡易な旋盤による切削加工にて製作しているが、軸方向の凹部は旋盤では加工不可のため、特別な加工を要し、加工コスト高となる。
・  スリーブのランド部分は、スリーブが挿入されるバルブボディとの間を液密的にシールする重要な機能を果たしているが、このランド部分の軸方向長が、凹部の軸方向長分だけ短くなり、上記シールの有効長が短くなるため、リーク量が増加する、もしくは、その分だけスリーブの軸方向長を長くして大型化しなければならない。
【先行技術文献】
【特許文献】
【０００８】
【特許文献１】特開２００５−３６９１２号公報
【特許文献２】特開２００７−１６２７６５号公報
【発明の概要】
【発明が解決しようとする課題】
【０００９】
上記の諸問題は、とりわけ、自動車に搭載する機器への小型・軽量化、低コスト化等の諸要求がますます厳しさを増す現下の情勢において致命的であり、小型・軽量化、低コスト化等の厳しい諸要求に即応した解決策が切望されている。
【００１０】
なお、かかる課題は、上述した電磁油圧制御弁に限らず、大きさ・重量・価格等に厳しい要求がなされている各種システムに組み込まれる種々な型式のバルブ装置における共通の課題となっている。
【００１１】
本発明は、上記の課題を解決するためになされたもので、その目的とするところは、スリーブの既存構造を有効活用して濾過フィルタをスリーブの所定位置に装着できるようにし、小型・軽量化、低コスト化等の厳しい諸要求に応える、濾過フィルタを備えたバルブ装置を提供することにある。
【課題を解決するための手段】
【００１２】
〔請求項１の手段〕
請求項１の手段を採用するバルブ装置によれば、スリーブの外周側に開口部を覆って巻き付けられ、開口部に導入される流体を濾過する筒状の濾過フィルタは、一枚の帯状材で構成され、周方向の両端部が重ねられて筒状に形成されるもので、周方向の一方の端部に周方向の他方の端部の内周側に位置する内重ね部、周方向の他方の端部に内重ね部の外周側に位置する外重ね部を有しており、内重ね部には、内周側に突出し、スリーブの開口部に嵌め込まれる位置決め部が折曲形成されていることを特徴としている。
【００１３】
これにより、濾過フィルタの位置決め部をスリーブの開口部に嵌め込むだけで濾過フィルタをスリーブの所定位置に確実に装着しておくことができる。スリーブの開口部は、既存構造であり、これをそのまま活用するため、特別な加工を一切要しない。また、濾過フィルタの基材も、幅の狭い帯状材を用いることができ、原材料のコストも安い。さらに、スリーブのランドに対して外周面を欠損させる等の犠牲を強いることがなく、所期のシール性能を何ら損なうことがない。
よって、濾過フィルタを備えたバルブ装置を小型・軽量・安価なものとすることができる。
【００１４】
〔請求項２の手段〕
請求項２の手段を採用するバルブ装置によれば、濾過フィルタの位置決め部は、スリーブの開口部に嵌め込まれる円筒部を有していることを特徴としている。
このような構成にすることにより、濾過フィルタの位置決め部をスリーブの開口部に良好に嵌め込むことができる。
【００１５】
〔請求項３の手段〕
請求項３の手段を採用するバルブ装置によれば、濾過フィルタの位置決め部は、スリーブの開口部に嵌め込まれる多角形部を有していることを特徴としている。
このような構成にすることにより、多角形部は基材の帯状材から簡単な折曲げ加工によって形成することができ、位置決め部を安価に作製できる。よって、バルブ装置全体の低コスト化に一層貢献することができる。
【００１６】
〔請求項４の手段〕
請求項４の手段を採用するバルブ装置によれば、濾過フィルタの位置決め部は、スリーブの開口部の内径より大なる外径を有するＣ字状円筒部を備えており、このＣ字状円筒部が縮径されて開口部に嵌め込まれていることを特徴としている。
このような構成にすることにより、濾過フィルタの位置決め部をＣ字状円筒部の弾性力によるスナップアクションを活用して嵌め込むため、製作過程での公差管理を緩和でき、一層安価にすることができる。
【００１７】
〔請求項５の手段〕
請求項５の手段を採用するバルブ装置によれば、筒状の濾過フィルタは、内重ね部と外重ね部とが溶接にて接合されていることを特徴としている。
かかる構成によれば、筒状の濾過フィルタを、帯状の状態から巻き付けた後に簡単に筒状に形成することができ、外重ね部の拡開も防止できる。
【００１８】
〔請求項６の手段〕
請求項６の手段を採用するバルブ装置によれば、スリーブが、クリアランスシールを介してバルブボディに取り付けられる場合においても、スリーブの軸方向長を何ら大きくすることなく、クリアランスシールにて所定のシール機能を確保することができる。
よって、小型・軽量化、低コスト化等の厳しい要求がなされる車載機器として好適なバルブ装置を提供することができる。
【００１９】
〔請求項７の手段〕
請求項７の手段を採用するバルブ装置によれば、このバルブ装置は、自動変速装置の油圧制御弁として有用できる。
【図面の簡単な説明】
【００２０】
【図１】本発明のバルブ装置の実施例１である電磁油圧制御弁を模式的に示すもので、（ａ）はバルブボディおよび濾過フィルタを縦断面した正面図、（ｂ）は（ａ）のＡ−Ａ線に沿う横断面図である。
【図２】図１における電磁油圧制御弁の主要部を拡大して示すもので、（ａ）は濾過フィルタの装着状態を説明するための一部破断平面図、（ｂ）は（ａ）のＢ−Ｂ線に沿う横断面図である。
【図３】濾過フィルタの装着前の単体構造を示すもので、（ａ）は平面図、（ｂ）は正面図である。
【図４】濾過フィルタの装着状態での単体構造を拡大して示す斜視図である。
【図５】他の形態の濾過フィルタを装着した電磁油圧制御弁の主要部を拡大して示すもので、（ａ）は濾過フィルタの装着状態を説明するための一部破断平面図、（ｂ）は（ａ）のＣ−Ｃ線に沿う横断面図である（実施例２）。
【図６】他の形態の濾過フィルタを装着した電磁油圧制御弁の主要部を拡大して示すもので、（ａ）は濾過フィルタの組付け過程を説明するための平面図、（ｂ）は濾過フィルタの装着状態を説明するための一部破断平面図、（ｃ）は（ｂ）のＤ−Ｄ線に沿う横断面図である（実施例３）。
【発明を実施するための形態】
【００２１】
本発明を実施するための最良の形態を以下の実施例により詳細に説明する。
【実施例】
【００２２】
［実施例１］
本実施例は、自動変速機の摩擦係合装置（クラッチ手段、ブレーキ手段等）に作動油圧を供給する油圧制御装置の圧力制御室の供給油圧をコントロールするためのパイロットバルブへの適用例を示す電磁油圧制御弁であって、図１〜図４に基づいて説明する。
なお、以下の説明では、電磁油圧制御弁１における周知の基本構成を図１により概説した後、本発明の特徴的な構成である濾過フィルタ２０を図２〜図４により詳述することとする。
【００２３】
〔基本的な構成〕
電磁油圧制御弁１は、油圧制御装置の圧力制御室Ｒに送られる供給油圧をコントロールするスプール弁２と、このスプール弁２を駆動する電磁アクチュエータ３とを一体的に組み合わせたもので、その代表的な具体的構造例、機能については次の通りである。
【００２４】
スプール弁２は、円筒形状のスリーブ４と、このスリーブ４内に収納されるスプール５を主要構成要素としている。スプール弁２は、スリーブ４が、バルブボディ６に形成されたスリーブ挿入穴６ａにクリアランスシール（液密手段）を介して挿入されることにより、バルブボディ６に取付けられる。このバルブボディ６は、油圧制御装置のケースで構成されるのが一般的である。
【００２５】
スリーブ４には、スプール５を軸方向へ摺動自在に収納支持する挿通穴７が、中央に形成されており、内外を連通する開口部として、オイルパン８からオイルポンプ（油圧発生手段）９、バルブボディ６の油路６ｂなどを介してオイルの供給を受ける入力ポート１０、圧力制御室Ｒにバルブボディ６の油路６ｃなどを介して連通する出力ポート１１、更にはこの出力ポート１１にバルブボディ６の油路６ｄなどを介して連通して、出力圧に応じたＦ／Ｂ油圧をスプール５に発生させるＦ／Ｂポート１２の各ポートが、径方向に貫通して形成されている。
スプール５は、電磁アクチュエータ３にて軸方向位置が制御されることにより、各ポートの開度を変化させる一種の弁体である。
【００２６】
入力ポート１０、出力ポート１１、Ｆ／Ｂポート１２の各ポートは、スリーブ４の外周側に形成された環状溝１３、１４、１５にそれぞれ開口している。環状溝１３、１４、１５は、スリーブ４の軸方向に間隔を置いて配置されており、この環状溝１３、１４、１５を形成しているランド部分１６、１７、１８、１９は、それらの外周面と、バルブボディ６のスリーブ挿入穴６ａの内周面とがミクロンオーダーの微小隙間を介して嵌合することにより、前述のクリアランスシールを構成するもので、スリーブ４をスリーブ挿入穴６ａに嵌挿するだけで、所望のシール機能が達成される。なお、クリアランスシールとは、シール部材を一切用いることなく、微小隙間のみで所望のシール機能を確保するシール手法で、この種電磁油圧制御弁１には多用されている。
【００２７】
環状溝１３、１４は、棚１３ａ、１４ａを有する段付き溝になっており、この棚１３ａ、１４ａに筒状の濾過フィルタ２０が装着されている。筒状の濾過フィルタ２０は、入力ポート１０および出力ポート１１を覆っており、この濾過フィルタ２０を通過し異物が除去されたオイルが各ポート１０、１１に導入される。
【００２８】
〔特徴的な構成〕
入力ポート１０および出力ポート１１は、共に同一構造の円形状の孔で構成されており、周方向に等間隔で４個設けられている。
そして、入力ポート１０および出力ポート１１が開口する環状溝１３、１４には、同一構造の濾過フィルタ２０が装着されているため、以下、入力ポート１０および環状溝１３側を代表して、濾過フィルタ２０の具体的な装着構造ならびに単体構造を、図２および図３に基づいて説明する。
【００２９】
濾過フィルタ２０は、環状溝１３の軸方向長と略同一の幅を有する一枚の帯状材で構成され、周方向の両端部が重ねられて筒状に形成されているものであって、周方向の一方の端部に周方向の他方の端部の内周側に位置する内重ね部２０ａ、周方向の他方の端部に内重ね部２０ａの外周側に位置する外重ね部２０ｂを有している。
内重ね部２０ａには、連結部２１を介して、内周側に突出し、スリーブ４の入力ポート１０に嵌め込まれる円形状の位置決め部２２が折曲形成されている。連結部２１は幅が狭く、その先端から内周側に向けて位置決め部２２が垂下（突出）している。
円形状の位置決め部２２は、一部に欠円部分を有するものの、実質的に円形に形成された円筒部２２ａを有しており、この円筒部２２ａの外径が、入力ポート１０の内径より若干小さくされている。
濾過フィルタ２０は、位置決め部２２の円筒部２２ａが入力ポート１０に嵌め込まれており、この両者の係合により、濾過フィルタ２０の回動が阻止され、スリーブ４に対する濾過フィルタ２０の装着位置を一義的に定めることができる。
【００３０】
なお、筒状の濾過フィルタ２０は、装直前の状態では図３に示すごとき単体構造（帯状体）をなしている。
つまり、例えばステンレス鋼板のごとき厚みの薄い帯状材が基材として用いられており、両端部（内重ね部２０ａおよび外重ね部２０ｂ）を除く大部分に、エッチング加工により形成された複数の微細孔２３からなる濾過面２４が設けられている。一端部（内重ね部２０ａ）には、連結部２１を介してその先端から円形状の位置決め部２２が垂下している。この位置決め部２２の円筒部２２ａは、幅狭の連結部２１と共に打ち抜かれた幅広部分をその両端から丸めることによって形成される。
【００３１】
図３に示す帯状の濾過フィルタ２０をスリーブ４に装着するには、まず、位置決め部２２の円筒部２２ａをスリーブ４の入力ポート１０に嵌め込んだ後、この位置決め部２２を内側にして一端部（内重ね部）２０ａから環状溝１３の棚１３ａに順次巻き付けていく。これにより、棚１３ａに沿って筒状に丸めることができ、巻き終わりの他端部（外重ね部）２０ｂを、一端部２０ａの上に重ね合わせる。この重なり合う両端部２０ａ、２０ｂを溶接により接合固定する。
かくして、筒状の濾過フィルタ２０が完成し、濾過フィルタ２０を、回動させることなく、スリーブ４に対する所定位置に確実に装着しておくことができる。
【００３２】
本実施例による電磁油圧制御弁１は、上述の如き構成を有するもので、濾過フィルタ２０の主たる作用並びに奏する効果について、次に説明する。
【００３３】
オイルパン８からオイルポンプ９、バルブボディ６の油路６ｂなどを介して、スプール弁２の入力ポート１０に導かれるオイルは、濾過フィルタ２０で濾過され、濾過後のクリーンなオイルが入力ポート１０に導かれる。
一方、油圧制御装置の圧力制御室Ｒからバルブボディ６の油路６ｃなどを介して、スプール弁２の出力ポート１１に戻されるオイルも、濾過フィルタ２０で濾過され、濾過後のクリーンなオイルが出力ポート１１に導かれる。
各濾過フィルタ２０は、回動することなく、スリーブ４に対する所定位置に確実に装着されているため、濾過フィルタ２０の濾過面２４が入力ポート１０、出力ポート１１に対して常に有効に作用し、異物侵入を良好に阻止できる。
【００３４】
しかして、濾過フィルタ２０は一枚の帯状材から一体形成されている。定寸切断した帯状材を加工して、連結部２１、位置決め部２２、濾過面２４を設けることにより、濾過フィルタ２０とすることができる。しかも、位置決め部２２は、帯状材の幅の範囲内で形成できるため、基材として用いる帯状材は、環状溝１３、１４の軸方向長と実質的に同じ幅を有すればよく、従来のように幅広の帯状材を要しない。
【００３５】
また、濾過フィルタ２０は、位置決め部２２の円筒部２２ａが入力ポート１０、出力ポート１１に嵌め込まれることにより、濾過フィルタ２０の回動が阻止され、スリーブ４に対する濾過フィルタ２０の装着位置を一義的に決めることができる。入力ポート１０および出力ポート１１は、そもそも既存構造であり、これをそのまま活用して、濾過フィルタ２０の回動を阻止できるため、スリーブ４に特別な加工を一切要しない。
【００３６】
さらに、スリーブ４の環状溝１３、１４を形成しているランド部分１６、１７、１８には、濾過フィルタ２０の回動を阻止するための凹部を設けることがないため、ランド部分１６、１７、１８の外周面を何ら犠牲にすることなく最大限に活用して、バルブボディ６との間に良好なクリアランスシールを確保することができる。            
【００３７】
また、濾過フィルタ２０の位置決め部２２として、入力ポート１０および出力ポート１１に嵌め込まれる部分を円筒部２２ａにし、各ポート１０、１１の孔形状と同じにしているため、位置決め部２２を、各ポート１０、１１に簡単かつ適切に嵌め込むことができる。
【００３８】
なお、筒状の濾過フィルタ２０は、重なり合う両端部２０ａ、２０ｂを溶接により接合固定しており、特に外重ね部２０ｂ側が拡開することがない。
もっとも、筒状の濾過フィルタ２０は、帯状材の弾性力を有効活用することにより、上記溶接を省略することも可能である。つまり、図３に示す状態から、予め位置決め部２２を内側にして図４に示すように丸めて筒状に形成しておき、その弾性力に抗して両端部２０ａ、２０ｂを拡開しながらスリーブ４の環状溝１３、１４に嵌め入れた後、弾性復帰により両端部２０ａ、２０ｂを重ね合わせ、筒状の濾過フィルタ２０とする。
【００３９】
［実施例２］  
次に、図５を参照して、本発明の実施例２について説明する。
本実施例も、入力ポート１０および出力ポート１１が開口する環状溝１３、１４には、同一構造の筒状濾過フィルタ２０を装着するものであるため、図５には、入力ポート１０および環状溝１３側を代表して、筒状濾過フィルタ２０の装着状態が示してある。
本実施例の筒状濾過フィルタ２０は、実施例１と同様、一枚の帯状材で構成され、周方向の両端部が重ねられて筒状に形成されるもので、周方向の一方の端部に周方向の他方の端部の内周側に位置する内重ね部２０ａ、周方向の他方の端部に内重ね部２０ａの外周側に位置する外重ね部２０ｂを有しているが、内重ね部２０ａの先端に多角形状の位置決め部２５を備えている。
この多角形状の位置決め部２５は、スリーブ４の入力ポート１０に嵌め込まれる部分として、入力ポート１０の内周面を内接円とする多角形部２５ａを有している。
【００４０】
本実施例によれば、位置決め部２５の多角形部２５ａは、実施例１の円筒部２２ａに比して製作が容易である。つまり、円形同士の嵌め合わせでは、両形状を同心円的にせねばならず、円筒部２２ａの加工に精度を要するのに対し、多角形部２５ａは入力ポート１０の内接円を満足すればよく、精度がさほど要求されず、簡単に作製できる。
【００４１】
［実施例３］  
次に、図６を参照して、本発明の実施例３について説明する。
本実施例も、入力ポート１０および出力ポート１１が開口する環状溝１３、１４には、同一構造の筒状濾過フィルタ２０を装着するものであるため、図６には、入力ポート１０および環状溝１３側を代表して、筒状濾過フィルタ２０の装着状態が示してある。
本実施例の筒状濾過フィルタ２０は、基本的には実施例１と同様、一枚の帯状材で構成され、周方向の両端部が重ねられて筒状に形成されるもので、周方向の一方の端部に周方向の他方の端部の内周側に位置する内重ね部２０ａ、周方向の他方の端部に前記内重ね部２０ａの外周側に位置する外重ね部２０ｂを有しているが、内重ね部２０ａの先端に、スナップアクション機能を有する、Ｃ字形状の位置決め部２６を備えている。
この位置決め部２６は、スリーブ４の入力ポート１０に嵌め込まれる部分として、特別なＣ字状円筒部２６ａを有している。このＣ字状円筒部２６ａは、実施例１における円筒部２２ａと同様な丸め加工により形成するものの、あらかじめ、図６（ａ）に示すごとくスリーブ４の入力ポート１０の内径より大なる外径を有する形状に折曲形成されており、入力ポート１０に嵌め込む際に図６（ｂ）のごとく入力ポート１０の内径まで外径を縮径して当該ポート１０に嵌め込まれている。Ｃ字状円筒部２６ａは、入力ポート１０に嵌め込まれた後弾性復元力で拡径し、入力ポート１０の内周面に圧接する。
【００４２】
本実施例によれば、濾過フィルタ２０の位置決め部２６を、Ｃ字状円筒部２６ａのスナップアクション機能により入力ポート１０に隙間なく嵌め込むことができる。つまり、濾過フィルタ２０の位置決め部２６の製作誤差を吸収することができるわけで、製作過程での公差管理を緩和することができる。  
【００４３】
［変形例］
以上、実施例１〜３について詳述したが、濾過フィルタ２０の具体的構造やその配設位置は、本発明の精神を逸脱しない範囲で種々変更することができるものである。
例えば、濾過フィルタ２０をスリーブ４の入力ポート１０および出力ポート１１の両ポートに装着したが、異物が侵入しやすい入力ポート１０側のみに配設してもよく、逆に、Ｆ／Ｂポート１２への異物侵入を積極的に図る場合には、Ｆ／Ｂポート１２側にも、当該ポートを活用して同様に濾過フィルタ２０を装着することができる。
【００４４】
なお、上述の実施例では、バルブ装置の代表例として、自動変速装置に使用される電磁油圧制御弁への適用例について詳述したが、自動車に搭載され、各種システムの作動源となる流体の流路開閉や流れ方向の変更、流量調整、圧力調整を行うスプール弁式のバルブ装置であれば、例えば内燃機関の可変バルブタイミング装置（ＶＶＴ）に用いられる油圧制御弁などにも、同様に適用できることは勿論である。
【符号の説明】
【００４５】
１    電磁油圧制御弁（バルブ装置）
２    スプール弁
４    スリーブ
５    スプール
６    バルブボディ
１０    入力ポート（開口部）
１１    出力ポート（開口部）
１２    Ｆ／Ｂポート（開口部）
１３〜１５    環状溝
１６〜１９    ランド部分
２０    濾過フィルタ
２０ａ    一端部、内重ね部
２０ｂ    他端部、外重ね部
２２    円形状の位置決め部
２２ａ    円筒部
２４    濾過面
２５    多角形状の位置決め部
２５ａ    多角形部
２６    Ｃ字形状の位置決め部
２６ａ    Ｃ字状円筒部
【図１】
0005585535.tif 000002
【図２】
0005585535.tif 000003
【図３】
0005585535.tif 000004
【図４】
0005585535.tif 000005
【図５】
0005585535.tif 000006
【図６】
0005585535.tif 000007